(57)【要約】【課題】看護師の移動の観点から病棟設計が適切であるかに係る指標を得ることが可能な病棟看護師動線評価方法を提供する。【解決手段】本発明の病棟看護師動線評価方法は、看護師の部屋間移動予定を記述した看護師移動シナリオを作成する看護師移動シナリオ作成ステップ（Ｓ１０１）と、病棟の平面図の部屋に対応して部屋ノードを設定する部屋ノード設定ステップ（Ｓ１０２）と、病棟の平面図の廊下部に対応して中継ノードを設定する中継ノード設定ステップ（Ｓ１０３）と、設定された前記部屋ノードと前記中継ノードとに基づいて部屋間距離テーブルを作成する部屋間距離テーブル作成ステップ（Ｓ１０４）と、前記看護師移動シナリオと前記部屋間距離テーブルとに基づいて、看護師の移動総距離を算出する看護師移動総距離算出ステップ（Ｓ１０５）と、を含むことを特徴とする【選択図】      図２
2014126992.tif 000002
【特許請求の範囲】
【請求項１】
看護師の部屋間移動予定を記述した看護師移動シナリオを作成する看護師移動シナリオ作成ステップと、
病棟の平面図の部屋に対応して部屋ノードを設定する部屋ノード設定ステップと、
病棟の平面図の廊下部に対応して中継ノードを設定する中継ノード設定ステップと、
設定された前記部屋ノードと前記中継ノードとに基づいて部屋間距離テーブルを作成する部屋間距離テーブル作成ステップと、
前記看護師移動シナリオと前記部屋間距離テーブルとに基づいて、看護師の移動総距離を算出する看護師移動総距離算出ステップと、を含むことを特徴とする病棟看護師動線評価方法。
【請求項２】
複数の看護師移動シナリオを複数作成して準備する複数看護師移動シナリオ作成ステップと、
前記看護師移動総距離算出ステップで、算出された複数の看護師の移動総距離の平均値を算出する看護師移動総距離平均算出ステップと、を含むことを特徴とする請求項１に記載の病棟看護師動線評価方法。
【請求項３】
前記看護師移動総距離平均算出ステップで算出された複数の看護師の移動総距離の平均値が、所定値以上である場合に、病棟の設計変更が必要であることを警告する警告ステップと、を含むことを特徴とする請求項２に記載の病棟看護師動線評価方法。
【請求項４】
請求項１乃至請求項３のいずれか１項に記載の病棟看護師動線評価方法を実行することを特徴とする病棟看護師動線評価システム。
【発明の詳細な説明】
【技術分野】
【０００１】
本発明は、病棟の設計段階において、病棟における看護師の動線評価を行い、看護師の移動の観点から病棟設計が適切であるかに係る指標を得るために用いる病棟看護師動線評価方法及び病棟看護師動線評価システムに関する。
【背景技術】
【０００２】
近年、医療需要がますます増大しており、それに比例して、看護師は多忙を極める状況となっている。このような状況に対処するために、看護師の移動軌跡や動線を把握しようとするシステムが提案されている。
【０００３】
例えば、特許文献１（特開２００６−９９３７１号公報）には、看護、観察実施内容を記録者、記録日時、記録場所とともに看護情報として記録できる情報端末と、前記情報端末から送信される前記看護情報を受信して記憶できる看護支援パソコンとを有し、前記看護支援パソコンにおいて、前記看護情報を集成、併合することにより、記録者、患者名、記録日時、処置場所、看護内容および移動距離の項目を含む看護動線データを出力できるようにしたことを特徴とする特徴とする看護支援システムが提案されている。
【特許文献１】特開２００６−９９３７１号公報
【発明の概要】
【発明が解決しようとする課題】
【０００４】
従来のような特許文献１記載のシステムでは、既存の病棟の下で、働く看護師の動線を把握することが可能であるが、設計段階の病棟における看護師の動線評価を行うことができず、看護師の移動の観点から病棟設計が適切であるかに係る指標を得ることができない、という問題があった。
【課題を解決するための手段】
【０００５】
この発明は、上記課題を解決するものであって、請求項１に係る発明は、看護師の部屋間移動予定を記述した看護師移動シナリオを作成する看護師移動シナリオ作成ステップと、病棟の平面図の部屋に対応して部屋ノードを設定する部屋ノード設定ステップと、病棟の平面図の廊下部に対応して中継ノードを設定する中継ノード設定ステップと、設定された前記部屋ノードと前記中継ノードとに基づいて部屋間距離テーブルを作成する部屋間距離テーブル作成ステップと、前記看護師移動シナリオと前記部屋間距離テーブルとに基づいて、看護師の移動総距離を算出する看護師移動総距離算出ステップと、を含むことを特徴とする病棟看護師動線評価方法である。
【０００６】
また、請求項２に係る発明は、請求項１に記載の病棟看護師動線評価方法において、複数の看護師移動シナリオを複数作成して準備する複数看護師移動シナリオ作成ステップと、前記看護師移動総距離算出ステップで、算出された複数の看護師の移動総距離の平均値を算出する看護師移動総距離平均算出ステップと、を含むことを特徴とする。
【０００７】
また、請求項３に係る発明は、請求項２に記載の病棟看護師動線評価方法において、前記看護師移動総距離平均算出ステップで算出された複数の看護師の移動総距離の平均値が、所定値以上である場合に、病棟の設計変更が必要であることを警告する警告ステップと、を含むことを特徴とする。
【０００８】
また、請求項４に係る発明は、請求項１乃至請求項３のいずれか１項に記載の病棟看護師動線評価方法を実行することを特徴とする病棟看護師動線評価システムである。
【発明の効果】
【０００９】
本発明に係る病棟看護師動線評価方法及び病棟看護師動線評価システムによれば、設計段階の病棟における看護師の動線評価を行うことができ、看護師の移動の観点から病棟設計が適切であるかに係る指標を得ることが可能となり、病棟の設計に資する。
【図面の簡単な説明】
【００１０】
【図１】本発明の実施形態に係る病棟看護師動線評価方法を実行するシステムの構成例を示す図である。
【図２】本発明の実施形態に係る病棟看護師動線評価方法のフローを示す図である。
【図３】本発明の実施形態に係る病棟看護師動線評価方法で作成される看護師移動シナリオのデータ構成例を示す図である。
【図４】設計段階の病棟の平面図である。
【図５】設計段階の病棟の平面図に各ノードが設定された様子を示す図である。
【図６】部屋間距離テーブルのデータ構成例を示す図である。
【発明を実施するための形態】
【００１１】
以下、本発明の実施の形態を図面を参照しつつ説明する。本発明の実施形態に係る病棟看護師動線評価方法を実行するシステムの構成例を示す図である。
【００１２】
図１において、１０はシステムバス、１１はＣＰＵ（Ｃｅｎｔｒａｌ  Ｐｒｏｃｅｓｓｉｎｇ  Ｕｎｉｔ）、１２はＲＡＭ（Ｒａｎｄｏｍ  Ａｃｃｅｓｓ  Ｍｅｍｏｒｙ）、１３はＲＯＭ（Ｒｅａｄ  Ｏｎｌｙ  Ｍｅｍｏｒｙ）、１４は外部情報機器との通信を司る通信制御部、１５はキーボードコントローラなどの入力制御部、１６は出力制御部、１７は外部記憶装置制御部、１８はキーボード、ポインティングデバイス、マウスなどの入力機器からなる入力部、１９は印刷装置などの出力部、２０はＨＤＤ（Ｈａｒｄ  Ｄｉｓｋ
Ｄｒｉｖｅ）等の外部記憶装置、２１はグラフィック制御部、２２はディスプレイ装置をそれぞれ示している。
【００１３】
図１において、ＣＰＵ１１は、ＲＯＭ１３内のプログラム用ＲＯＭ、或いは、大容量の外部記憶装置２０に記憶されたプログラム等に応じて、外部機器と通信することでデータを検索・取得したり、また、図形、イメージ、文字、表等が混在した出力データの処理を実行したり、更に、外部記憶装置２０に格納されているデータベースの管理を実行したり、などといった演算処理を行うものである。
【００１４】
また、ＣＰＵ１１は、システムバス１０に接続される各デバイスを統括的に制御する。ＲＯＭ１３内のプログラム用ＲＯＭあるいは外部記憶装置２０には、ＣＰＵ１１の制御用の基本プログラムであるオペレーティングシステムプログラム（以下ＯＳ）等が記憶されている。また、ＲＯＭ１３あるいは外部記憶装置２０には出力データ処理等を行う際に使用される各種データが記憶されている。メインメモリーであるＲＡＭ１２は、ＣＰＵ１１の主メモリ、ワークエリア等として機能する。
【００１５】
入力制御部１５は、キーボードや不図示のポインティングデバイスからの入力部１８を制御する。また、出力制御部１６は、プリンタなどの出力部１９の出力制御を行う。
【００１６】
外部記憶装置制御部１７は、ブートプログラム、各種のアプリケーション、フォントデータ、ユーザーファイル、編集ファイル、プリンタドライバ等を記憶するＨＤＤ（Ｈａｒｄ  Ｄｉｓｋ  Ｄｒｉｖｅ）や、或いはフロッピーディスク（ＦＤ）等の外部記憶装置２０へのアクセスを制御する。本発明の病棟看護師動線評価方法及び病棟看護師動線評価システムを実現するシステムプログラムは、上記のような外部記憶装置２０に記憶されてい
る。また、グラフィック制御部２１は、ディスプレイ装置２２に表示する情報を描画処理するための構成である。
【００１７】
また、通信制御部１４は、ネットワークを介して、外部機器と通信を制御するものであり、これによりシステムが必要とするデータを、インターネットやイントラネット上の外部機器が保有するデータベースから取得したり、外部機器に情報を送信したりすることができるように構成される。
【００１８】
外部記憶装置２０には、ＣＰＵ１１の制御プログラムであるオペレーティングシステムプログラム（以下ＯＳ）以外に、本発明の物理量シミュレーションシステムをＣＰＵ１１上で動作させるシステムプログラム、及びこのシステムプログラムで用いるデータなどがインストールされ保存・記憶されている。
【００１９】
本発明の病棟看護師動線評価方法及び病棟看護師動線評価システムを実現するシステムプログラムで利用されるデータとしては、基本的には外部記憶装置２０に保存されていることが想定されているが、場合によっては、これらのデータを、通信制御部１４を介してインターネットやイントラネット上の外部機器から取得するように構成することも可能である。また、本発明の病棟看護師動線評価方法及び病棟看護師動線評価システムを実現するシステムプログラムで利用されるデータを、ＵＳＢメモリやＣＤ、ＤＶＤなどの各種メディアから取得するように構成することもできる。
【００２０】
次に、以上のように構成されるシステムなどで実行される病棟看護師動線評価方法の概要について説明する。
【００２１】
図２において、ステップＳ１００でフローが開始されると、続いて、ステップＳ１０１に進み、看護師の部屋間移動予定を記述した看護師移動シナリオを作成することを行う。これは、図３に示すようなもので、それぞれの看護師がどの「部屋」からどの「部屋」に順々に移動すするかに係る、言わば、行動予定表である。なお、看護師移動シナリオには、それぞれの「部屋」で、どのような看護師としての行動を行ったかに係る「行動種別」についてもデータ化しておくこともできる。
【００２２】
続く、ステップＳ１０２では、病棟の平面図の部屋に対応して部屋ノードを設定することを行う。これは、例えば、図４に示すような病棟の平面図を例に取ると、この平面図上で図５に示すような実線の○に相当するノードを設定するものである。このようなノードは、データ上は２次元における座標とすることができる。
【００２３】
続いて、ステップＳ１０３では、病棟の平面図の廊下部に対応して中継ノードを設定することを行う。これは、例えば、図４に示すような病棟の平面図を例に取ると、この平面図上で図５に示すような点線の○に相当するノードを設定するものである。このようなノードは、データ上は２次元における座標とすることができる。また、中継ノードは、看護師が病棟の平面図の部屋間を移動する際に、必ず通過する必要がある場所に設定されるものである。
【００２４】
次のステップＳ１０４においては、これまでに設定された前記部屋ノードと前記中継ノードとに基づいて部屋間距離テーブルを作成することを行う。平面図中の互いに異なる全ての部屋同士の移動距離をテーブル化したもので、図６に示すようなものである。例えば、１１１号室と１１２号室との間では、図５に示すように、各ノード間の距離の和（Ｌ１＋Ｌ２＋Ｌ３）から求めることができる。
【００２５】
次のステップＳ１０５においては、前記看護師移動シナリオと前記部屋間距離テーブル
とに基づいて、看護師の移動総距離を算出することを実行する。例えば、図３の看護師Ａさんを例に取れば、ステーション−１１１号室間距離、１１１号室−１１２号室間距離、１１２号室−ステーション室間距離、ステーション−１１６号室間距離、１１６号室−１１７号室間距離、・・・を部屋間距離テーブルを参照して求めて、これらの総和を取ることで、看護師の移動総距離を算出する。
【００２６】
続いて、ステップＳ１０６においては、全ての看護師のシナリオが実行されたか否かが判定される。ステップＳ１０６における判定がＮＯであれば、ステップＳ１０５に戻り、次に看護師Ａさんの移動総距離を算出し、続いて、看護師Ｃさんの移動総距離を算出し、という具合にループする。
【００２７】
一方、ステップＳ１０６における判定がＹＥＳであれば、次にステップＳ１０７に進み、上記のステップＳ１０５の看護師移動総距離算出ステップで、算出された複数の看護師の移動総距離の平均値を算出することを実行する。
【００２８】
続く、ステップＳ１０８においては、ステップＳ１０７で算出された複数の看護師の移動総距離の平均値が、所定値（例えば、４０００ｍなどの予め定められた値）であるか否かが判定される。
【００２９】
ステップＳ１０８の判定がＮＯであれば、ステップＳ１０９に進み、病棟の設計変更は必要でない旨、ディスプレイ装置２２などに表示する。
【００３０】
一方、ステップＳ１０８の判定がＹＥＳであれば、病棟の設計変更が必要であることを警告する表示をディスプレイ装置２２などに表示する。
【００３１】
以上のような本発明に係る病棟看護師動線評価方法及び病棟看護師動線評価システムによれば、設計段階の病棟における看護師の動線評価を行うことができ、看護師の移動の観点から病棟設計が適切であるかに係る指標を得ることが可能となり、病棟の設計に資する。
【符号の説明】
【００３２】
１０・・・システムバス
１１・・・ＣＰＵ（Ｃｅｎｔｒａｌ  Ｐｒｏｃｅｓｓｉｎｇ  Ｕｎｉｔ）
１２・・・ＲＡＭ（Ｒａｎｄｏｍ  Ａｃｃｅｓｓ  Ｍｅｍｏｒｙ）
１３・・・ＲＯＭ（Ｒｅａｄ  Ｏｎｌｙ  Ｍｅｍｏｒｙ）
１４・・・通信制御部
１５・・・入力制御部
１６・・・出力制御部
１７・・・外部記憶装置制御部
１８・・・入力部
１９・・・出力部
２０・・・外部記憶装置
２１・・・グラフィック制御部
２２・・・ディスプレイ装置
【図１】
2014126992.tif 000003
【図２】
2014126992.tif 000004
【図３】
2014126992.tif 000005
【図４】
2014126992.tif 000006
【図５】
2014126992.tif 000007
【図６】
2014126992.tif 000008